【手続補正書】
【提出日】平成16年12月8日(2004.12.8)
【手続補正１】
【補正対象書類名】明細書
【補正対象項目名】特許請求の範囲
【補正方法】変更
【補正の内容】
【特許請求の範囲】
【請求項１】
第１の基板と、
前記第１の基板に対向して設けられ、表面に凹凸が形成された第２の基板と、
前記第２の基板上に前記凹凸を覆うように形成され、コンタクトホールを介して前記第２の基板上に形成されたスイッチング素子と電気的に接続され、前記凹凸に対応した凹凸を有する反射電極と、
前記第１の基板と第２の基板との間に設けられた負の誘電率異方性を有する液晶層とよりなる垂直配向モードの反射型液晶表示装置において、
前記コンタクトホールを前記反射電極の中心に配置し、さらに前記第２の基板をこれに垂直な方向から見た場合に、前記コンタクトホールに重なる位置に、液晶層中の液晶分子の配向を制御する突起物を配置したことを特徴とする反射型液晶表示装置。
【請求項２】
前記突起物は、前記第２の基板に垂直な方向から見た場合、前記コンタクトホールの大きさと概ね同じ大きさを有することを特徴とする請求項１記載の反射型液晶表示装置。
【請求項３】
前記突起物は、前記反射電極に前記コンタクトホールにより形成される段差に対応する高さを有することを特徴とする請求項１または２記載の反射型液晶表示装置。
【請求項４】
第１の基板と、前記第１の基板に対向して設けられ、表面に反射能を有する凹凸が形成された第２の基板と、前記第１および第２の基板の間に設けられた負の誘電率異方性を有する液晶層と、前記第１および第２の基板の間に設けられた光重合性ポリマ構造物を挟持してなる垂直配向モードの反射型液晶装置の製造方法であって、
前記基板の法線方向に光を照射し、前記凸凹により基板面内方向に光を反射して前記ポリマ構造物を構成する化合物を光重合させる工程を含み、
前記化合物を光重合する工程では、前記凸凹の形状により基板面内の反射強度に指向性を持たせ、前記指向性に対応する方位に化合物の光重合を行うことを特徴とする反射型液晶表示装置の製造方法。
【請求項５】
第１の基板と、
前記第１の基板に対向して設けられ、表面に反射能を有する凹凸が形成された第２の基板と、
前記第１の基板と第２の基板との間に設けられた負の誘電率異方性を有する液晶層と、
前記第１の基板と第２の基板の表面に形成された垂直配向膜とよりなる垂直配向モードの反射型液晶表示装置において、
前記垂直配向膜中における溶媒を除いた配向膜成分に対するジアミン系垂直配向性分の比率を１２％以上５０％以下にしたこと特徴とする反射型液晶表示装置。
【請求項６】
第１の基板と、
前記第１の基板に対向して設けられ、基板表面に反射能を有する凹凸が形成された第２の基板と、
前記第１および第２の基板の間に保持された負の誘電率異方性を有する液晶層とよりなる垂直配向モードの反射型液晶表示装置において、
前記第１の基板外側に偏光板を配置し、その吸収軸を前記凸凹による反射強度が極大となる方位に略平行に配置したことを特徴とする反射型液晶表示装置。
【請求項７】
第１の基板と、
前記第１の基板に対向して設けられ、反射能を有する凹凸を形成された第２の基板と、
前記第１の基板と第２の基板との間に保持された、正又は負の誘電率異方性を有する液晶層と、
前記第１の基板の外側に配設された偏光板とよりなる反射型液晶表示装置において、
前記第１の基板と前記偏光板との間に、前記第１の基板の面に対して垂直な方向に負の屈折率異方性を有する位相差板を配設し、
前記位相差板のｘ，ｙ，ｚ軸方向の屈折率をそれぞれｎx，ｎy，ｎz、前記液晶層の厚さをｄｌｃ、前記液晶層中における異常光と常光との屈折率差をΔｎとして、前記位相差板のリタデーションｄｆ・｛（ｎx＋ｎy）／２−ｎz｝の値を、
０．４≦［ｄｆ・｛（ｎx＋ｎy）／２−ｎz｝］／（ｄｌｃ・Δｎ）≦０．７
の範囲に設定したことを特徴とする反射型液晶表示装置。
【請求項８】
第１の基板と、
前記第１の基板に対向するように設けられた第２の基板と、
前記第１の基板の、前記第２の基板に面する側に設けられた透明電極と、
前記第２の基板の、前記第１の基板に面する側に設けられ、開口部を有する反射電極と、
前記第１の基板と第２の基板との間に挟持され、液晶層を含み、光の散乱能を散乱状態と非散乱状態との間で変化させる散乱層と、
前記第１の基板、前記第２の基板および前記散乱層とにより構成される液晶パネルの外側に、前記液晶パネルを挟持するように設けられた一対の偏光子とよりなり、
前記一対の偏光子の少なくとも一方は、円偏光子よりなることを特徴とする反射透過型液晶表示装置。
【手続補正２】
【補正対象書類名】明細書
【補正対象項目名】００２２
【補正方法】変更
【補正の内容】
【００２２】
【課題を解決するための手段】
本発明は上記の課題を、第１の基板と、前記第１の基板に対向して設けられ、表面に凹凸が形成された第２の基板と、前記第２の基板上に前記凹凸を覆うように形成され、コンタクトホールを介して前記第２の基板上に形成されたスイッチング素子と電気的に接続され、前記凹凸に対応した凹凸を有する反射電極と、前記第１の基板と第２の基板との間に設けられた負の誘電率異方性を有する液晶層とよりなる垂直配向モードの反射型液晶表示装置において、前記コンタクトホールを前記反射電極の中心に配置し、さらに前記第２の基板をこれに垂直な方向から見た場合に、前記コンタクトホールに重なる位置に、液晶層中の液晶分子の配向を制御する突起物を配置したことを特徴とする反射型液晶表示装置により、解決する。
【手続補正３】
【補正対象書類名】明細書
【補正対象項目名】００２７
【補正方法】変更
【補正の内容】
【００２７】
本発明はまた前記の課題を、第１の基板と、前記第１の基板に対向して設けられ、表面に反射能を有する凹凸が形成された第２の基板と、前記第１の基板と第２の基板との間に設けられた負の誘電率異方性を有する液晶層と、前記第１の基板と第２の基板の表面に形成された垂直配向膜とよりなる垂直配向モードの反射型液晶表示装置において、前記垂直配向膜中における溶媒を除いた配向膜成分に対するジアミン系垂直配向性分の比率を１２％以上５０％以下にしたこと特徴とする反射型液晶表示装置により、解決する。なお、溶媒を除いた配向膜成分とは、配向膜形成後に基板上に膜として残る固形成分のことであり、固形成分は酸無水物とジアミンを１：１の比率で混合したものである。
【手続補正４】
【補正対象書類名】明細書
【補正対象項目名】００５９
【補正方法】変更
【補正の内容】
【００５９】
図５は、本実施の形態による反射型液晶表示装置において、垂直配向膜１２Ｃ，１２Ｄ中の垂直配向成分（側鎖型ジアミン）の全アミン成分に対する比率を２．５％、５％、１２．５％と変化させた場合の黒表示状態を示す図である。
【手続補正５】
【補正対象書類名】明細書
【補正対象項目名】００６０
【補正方法】変更
【補正の内容】
【００６０】
図５を参照するに、垂直配向膜中の前記垂直配向成分の比率が２．５％および５％の場合には大々的な光漏れが生じており、これに伴ってコントラスト比が低下する。これに対し、前記垂直配向膜中の垂直配向成分の比率が１２．５％の場合には光漏れがわずかであり、このことから、反射型液晶表示装置１０において垂直配向膜１２Ｃ，１２Ｄ中における垂直配向成分の比率は１．２５％以上であるのが好ましいことが結論される。
【手続補正６】
【補正対象書類名】明細書
【補正対象項目名】００６１
【補正方法】変更
【補正の内容】
【００６１】
一般に、光漏れは液晶分子がわずかでもチルトすると生じるものであるが、生じた光漏れが人間に視認されるのは、液晶分子のチルト角があるしきい値を超えた場合であると考えられている。表面に凹凸が形成されない透過型の液晶表示装置では、垂直配向膜中の垂直配向成分は２．５％もあれば十分なコントラスト比が得られるが、図５の結果は、表面に凹凸パターン１２が形成される反射型の液晶表示装置１０では、垂直配向成分の割合を１２．５％以上に設定しないと十分なコントラスト比が確保できないことを意味している。
【手続補正７】
【補正対象書類名】明細書
【補正対象項目名】００６３
【補正方法】変更
【補正の内容】
【００６３】
【表１】
2003177384.tif 000001
表１を参照するに、本実施例の反射型液晶表示装置１０において垂直配向膜１２Ｃ，１２Ｄ中の垂直配向成分（側鎖型ジアミン）の全ジアミン成分に対する割合を２．５％〜２５％の範囲で変化させているが、いずれの場合も、比較例１，２より優れた明るさが実現されていることがわかる。またコントラスト比も、垂直配向膜中の垂直配向成分が１２．５％以上である場合、２３以上になることがわかる。ＴＮモード反射型液晶表示装置の場合の明るさが１３％程度、コントラスト比が最大で１８程度であることを考えると、本実施例の反射型液晶表示装置１０はＴＮモード反射型液晶表示装置よりも優れた表示特性を示すことがわかる。
【手続補正８】
【補正対象書類名】明細書
【補正対象項目名】００６９
【補正方法】変更
【補正の内容】
【００６９】
より詳細に説明すると、本実施例ではＴＦＴ基板１１上に凹凸パターン１２を、図８に示すように凸部が基板の縦方向あるいは横方向に延在する細長い形状に形成し、また前記分子配向膜１２Ｃ，１２Ｄを、垂直配向成分の比率が１２．５％の垂直配向膜を使って形成する。
【手続補正９】
【補正対象書類名】明細書
【補正対象項目名】００７９
【補正方法】変更
【補正の内容】
【００７９】
【表２】
2003177384.tif 000002
表２を参照するに、本実施例および比較例とも、明るさはほとんど変わらないが、本実施例によりコントラスト比が改善されていることがわかる。これは、本実施例において、偏光板１７の吸収軸を前記凹凸パターン１２による反射強度が極大となる方向に配向させることにより、黒表示がより暗くなることによるものと考えられる。
【手続補正１０】
【補正対象書類名】明細書
【補正対象項目名】０２００
【補正方法】変更
【補正の内容】
【０２００】
以上、本発明を好ましい実施例について説明したが、本発明は上記の実施例に限定されるものではなく、特許請求の範囲に記載した要旨内において様々な変形・変更が可能である。
（付記１）  第１の基板と、
前記第１の基板に対向して設けられ、表面に凹凸が形成された第２の基板と、
前記第２の基板上に前記凹凸を覆うように形成され、コンタクトホールを介して前記第２の基板上に形成されたスイッチング素子と電気的に接続され、前記凹凸に対応した凹凸を有する反射電極と、
前記第１の基板と第２の基板との間に設けられた負の誘電率異方性を有する液晶層とよりなる垂直配向モードの反射型液晶表示装置において、
前記コンタクトホールを前記反射電極の中心に配置し、さらに前記第２の基板をこれに垂直な方向から見た場合に、前記コンタクトホールに重なる位置に、液晶層中の液晶分子の配向を制御する突起物を配置したことを特徴とする反射型液晶表示装置。
【手続補正１１】
【補正対象書類名】明細書
【補正対象項目名】０２０１
【補正方法】変更
【補正の内容】
【０２０１】
（付記２）  前記突起物は、前記反射電極上に形成されることを特徴とする付記１記載の反射型液晶表示装置。
【手続補正１２】
【補正対象書類名】明細書
【補正対象項目名】０２０２
【補正方法】変更
【補正の内容】
【０２０２】
（付記３）  前記突起物は、前記第１の基板の、前記第２の基板に面する側に設けられることを特徴とする付記１記載の反射型液晶表示装置。
【手続補正１３】
【補正対象書類名】明細書
【補正対象項目名】０２０３
【補正方法】変更
【補正の内容】
【０２０３】
（付記４）  前記突起物は、前記第２の基板に垂直な方向から見た場合、前記コンタクトホールの大きさと概ね同じ大きさを有することを特徴とする付記１〜３のうち、いずれか一項記載の反射型液晶表示装置。
【手続補正１４】
【補正対象書類名】明細書
【補正対象項目名】０２０４
【補正方法】変更
【補正の内容】
【０２０４】
（付記５）  前記突起物は、前記反射電極に前記コンタクトホールにより形成される段差に対応する高さを有することを特徴とする付記１〜４のうち、いずれか一項記載の反射型液晶表示装置。
【手続補正１５】
【補正対象書類名】明細書
【補正対象項目名】０２０７
【補正方法】変更
【補正の内容】
【０２０７】
（付記８）  第１の基板と、
前記第１の基板に対向して設けられ、表面に反射能を有する凹凸が形成された第２の基板と、
前記第１の基板と第２の基板との間に設けられた負の誘電率異方性を有する液晶層と、
前記第１の基板と第２の基板の表面に形成された垂直配向膜とよりなる垂直配向モードの反射型液晶表示装置において、
前記垂直配向膜中における溶媒を除いた配向膜成分に対するジアミン系垂直配向性分の比率を１２％以上５０％以下にしたこと特徴とする反射型液晶表示装置。
【手続補正１６】
【補正対象書類名】図面
【補正対象項目名】図５
【補正方法】変更
【補正の内容】
【図５】
2003177384.tif 000003